(57)【要約】【課題】本発明は、停電補償ＬＥＤ照明装置及び補助カメラサービス方法に関する。【解決手段】照明装置に使用される蓄電池としてハイブリッドキャパシタまたは電気二重層キャパシタ（ＥＤＬＣ）などを使用するようにし、２次電池を使用する場合に発生する様々な問題を克服し、非常照明装置が実際の非常の際に容易に使用されるよう、短時間内に高速充電ができるようにして非常時に人の視野を確保することを可能にする停電補償ＬＥＤ照明にカメラモジュールを内蔵して、内蔵されたメモリに映像の保存を容易に行い、カメラと近距離無線通信を通して連結を要請する過程と、上記無線通信を通してカメラと連結されると、映像を選択して伝送する過程と、上記選択された映像信号がカメラから受信されると上記映像信号を処理してそれぞれの停電補償ＬＥＤ照明装置の固有番号と上記固有番号によるソフトウェア及びアップデート、照明の電源をターンオン／オフ、点灯／消灯の手順の設定と履歴情報を上記中央サーバーから送受信して、上記装着されたカメラの映像をローカルサーバーから最新映像保存と制御、防犯などの機能を行い、内蔵された蓄電部の低電圧感知部に電圧制御部を含んで構成されたことと、電源の供給ができない環境下で上記蓄電池を内蔵して風力、太陽光を用いて場所に限られず使用できる環境を備える停電補償ＬＥＤ照明装置及び補助カメラサービス方法に関する。
2013513222.tif 000002
【特許請求の範囲】
【請求項１】
一部に外部電源と連結されて交流電源が入力されるソケットボルトが形成された函体状の胴体と、前記胴体において前記ソケットボルトが形成された側の反対側に組み立てられ結合された反射板からなる停電補償機能ＬＥＤ照明装置であって、前記胴体の内部に形成されるがＬＥＤ電球が前記反射板に向かうよう複数装着されたＬＥＤモジュールと、前記ソケットボルトを介して外部から入力された交流電源を直流電源に変換するコンバーターと、前記胴体の内部に形成された蓄電池と、外部電源を用いて前記蓄電池を充電し前記ＬＥＤモジュールと電気的に連結された状態で前記蓄電池に充電された電源でＬＥＤモジュールの作動を制御する制御部と、から構成され、
前記制御部は、外部電源にて前記蓄電池を充電する充電モジュールと、前記胴体の一側に形成されて現在の光量をセンシングする光測定センサーと、外部電源の電圧を感知して電圧の数値を生成する電圧感知モジュールと、ケーブルを介して前記光測定センサーと連結されて前記光測定センサーから光量数値が伝送される光量感知モジュールと、前記電圧感知モジュールから電圧数値が伝送され、前記電圧数値が一定の水準以下に落ちると、前記光量感知モジュールから光量数値が伝送され前記光量数値に応じて前記ＬＥＤモジュールを作動するかどうかを判断して作動信号を生成する判断モジュールと、前記判断モジュールから作動信号が伝送され前記蓄電池に充電された電源にてＬＥＤモジュールを制御する制御モジュールと、を含むことを特徴とする停電補償ＬＥＤ照明装置。
【請求項２】
前記蓄電池は、陽極と陰極の構成が異なるよう製作されたハイブリッドキャパシタと電気二重層キャパシタ及びハイブリッド電池、リチウムポリマー、リチウムリン酸鉄電池のいずれかひとつ以上で備えられたことを特徴とする請求項１に記載の停電補償ＬＥＤ照明装置。
【請求項３】
前記判断モジュールは、前記光量感知モジュールから光量の数値が伝送され前記光量数値に応じてＬＥＤ照明の照度を判断して照度数値を生成する照度判断部をさらに含み、前記制御モジュールは、前記照度判断部から照度数値が伝送され、前記蓄電池から前記ＬＥＤモジュールへ出力される電源の量を制御する照度制御部をさらに含むことを特徴とする請求項１に記載の停電補償ＬＥＤ照明装置。
【請求項４】
前記制御部は、無線通信部を介して 電力会社サーバーと連動して該当建物の停電時間の情報を把握する通信部から直接停電時間情報の入力を受ける入力部からなる情報受信モジュールと、前記充電モジュールと連動して前記蓄電池に充電された電源量を把握して充電量の情報を生成する充電量把握モジュールがさらに含まれ、前記制御モジュールは、前記情報受信モジュールと前記充電量把握モジュールから各情報が伝送され、前記充電量の情報をもとに前記時間情報の間前記ＬＥＤ電球が点灯された状態を保つようにするための時間単位当たりの出力量を把握して前記蓄電池から前記ＬＥＤモジュールへ出力される電源の出力量を制御する出力量制御部と、をさらに含むことを特徴とする請求項１に記載の停電補償ＬＥＤ照明装置。
【請求項５】
前記反射板は、特定の部分が内側に膨らんで形成されてＬＥＤ電球から放出された光が非常退避路が備えられた地点に集中して屈折するようにした光集中部をさらに含むことによって、非常退避路が備えられた地点が他の地点より明るく照らすようにすることを特徴とする請求項４に記載の停電補償ＬＥＤ照明装置。
【請求項６】
前記停電補償ＬＥＤ照明装置は、外部から前記蓄電池へ入力される電流の逆電流を防止する逆電流防止ダイオードと、電流の急速な流れを防止する保護抵抗からなる流れ制御部と、をさらに含むことを特徴とする請求項２に記載の停電補償ＬＥＤ照明装置。
【請求項７】
無線LAN地域における停電補償ＬＥＤ照明補助カメラサービス方法において、停電補償ＬＥＤ照明補助カメラそれぞれのＭＡＣ  Ａｄｄｒｅｓｓ（Ｍｅｄｉａ  Ａｃｃｅｓｓ  Ｃｏｎｔｒｏｌ  Ａｄｄｒｅｓｓ、以下、'固有番号'）と前記固有番号による映像、ソフトウェア、コンテンツ及びアップデートの履歴情報を保存管理し、インターネット網を通して前記無線LAN地域に設けられたローカルサーバーと停電補償ＬＥＤ照明補助カメラの固有番号によるアップデートの履歴情報を送受信する中央サーバーと、前記無線LAN地域に設けられ、前記停電補償ＬＥＤ照明補助カメラの固有番号と、固有番号による映像、ソフトウェア、コンテンツ及びアップデートの履歴情報を前記中央サーバーから受信して保存管理し、前記停電補償ＬＥＤ照明補助カメラが装着された無線LAN地域に設けられた無線LAN装置を通して映像、ソフトウェア及びコンテンツのアップデートのための無線信号を停電補償ＬＥＤ照明補助カメラと送受信することによってアップデートの対象であるか否かを判断し、アップデートの対象である場合、前記停電補償ＬＥＤ照明補助カメラへ映像、ソフトウェア及びコンテンツを伝送し、更新した停電補償ＬＥＤ照明補助カメラの映像、アップデートの履歴情報を中央サーバーへ伝送するローカルサーバーと、前記無線LAN装置を通してローカルサーバーから映像、ソフトウェア及びコンテンツのアップデートのための接続要請信号を受信した後、それによる接続許可信号または接続拒否信号を伝送し、前記停電補償ＬＥＤ照明補助カメラがアップデートの対象である場合、ローカルサーバー承認要請信号を受信してこれによる承認信号をローカルサーバーへ伝送した後、前記ローカルサーバーから最新映像、ソフトウェア及びコンテンツを受信して保存する停電補償ＬＥＤ照明補助カメラと、を含む無線LAN地域における停電補償ＬＥＤ照明補助カメラサービス方法。
【請求項８】
前記ローカルサーバーは、前記中央サーバーからインターネット（Ｉｎｔｅｒｎｅｔ）網を通して停電補償ＬＥＤ照明補助カメラの固有番号による映像、ソフトウェア、コンテンツ及びアップデートの履歴情報を受信し、更新した停電補償ＬＥＤ照明補助カメラのアップデートの履歴情報を中央サーバーへ伝送する第１通信部と、前記第１通信部を通して受信した前記停電補償ＬＥＤ照明補助カメラの固有番号による映像、ソフトウェアとコンテンツ及びアップデートの履歴情報を保存管理する映像アップデート情報保存部と、前記停電補償ＬＥＤ照明補助カメラと無線LAN装置を通して、映像、ソフトウェア及びコンテンツのアップデートのための接続要請信号及び接続許可信号を送受信することによって、停電補償ＬＥＤ照明補助カメラから固有番号を受信し、前記固有番号による映像、ソフトウェアとコンテンツを停電補償ＬＥＤ照明補助カメラへ伝送する第２通信部と、前記第２通信部を通して停電補償ＬＥＤ照明補助カメラから受信した固有番号と映像アップデート情報保存部に保存された該当停電補償ＬＥＤ照明補助カメラのアップデートの履歴情報と比較することによって、該当停電補償ＬＥＤ照明補助カメラがアップデートの対象であるか否かを判断する映像アップデート対象判断部と、を含むことを特徴とする請求項７に記載の停電補償ＬＥＤ照明補助カメラサービス方法。
【請求項９】
前記第２通信部は、アップデートの対象ではなかったり、前記停電補償ＬＥＤ照明補助カメラから承認拒否信号を受信した場合、前記停電補償ＬＥＤ照明補助カメラへ通信遮断信号を伝送することを特徴とする請求項８に記載の停電補償ＬＥＤ照明補助カメラサービス方法。
【請求項１０】
前記アップデートの履歴情報は、映像別、ソフトウェア別、コンテンツ別、週／月／年間のアップデートサービスを含むことを特徴とする請求項７に記載の停電補償ＬＥＤ照明補助カメラサービス方法。
【請求項１１】
中央サーバー、ローカルサーバー及び停電補償ＬＥＤ照明補助カメラで構成されたシステムを用いた無線LAN地域における映像、ソフトウェア及びコンテンツのダウンロード方法において、無線LAN装置から映像、ソフトウェア及びコンテンツのアップデートのための接続要請信号を受信した前記停電補償ＬＥＤ照明補助カメラが前記接続要請信号による停電補償ＬＥＤ照明補助カメラの固有番号を前記無線LAN装置を通してローカルサーバーへ伝送する段階と、前記ローカルサーバーが受信した 停電補償ＬＥＤ照明補助カメラの固有番号と保存された該当停電補償ＬＥＤ照明補助カメラの履歴情報を比較することによって、該当停電補償ＬＥＤ照明補助カメラがアップデートの対象であるか否かを判断することと、前記固有番号、履歴情報の判断結果、アップデートの対象である場合、前記ローカルサーバーが無線LAN装置を通してアップデートの承認要請信号を前記停電補償ＬＥＤ照明補助カメラへ伝送することと、前記停電補償ＬＥＤ照明補助カメラがアップデートを承認しようとする場合、前記無線LAN装置を通して承認信号を前記ローカルサーバーへ伝送することと、前記ローカルサーバーが前記無線LAN装置を通して該当停電補償ＬＥＤ照明補助カメラの最新映像、ソフトウェア及びコンテンツを伝送することと、前記停電補償ＬＥＤ照明補助カメラが前記最新映像、ソフトウェア及びコンテンツを受信して保存することと、前記ローカルサーバーが更新されたアップデートの履歴情報を保存した後、前記更新されたアップデートの履歴情報をインターネット網を通して前記中央サーバーへ伝送することを含むことと、通信及び電源が遮断及び復旧するとき、停電補償ＬＥＤ照明補助カメラの蓄電部電源にて内蔵されたメモリに撮影された映像を別途保存することを含むことを特徴とする無線LAN地域における停電補償ＬＥＤ照明補助カメラサービス方法。
【請求項１２】
前記停電補償ＬＥＤ照明補助カメラが設けられた無線LAN地域から無線LAN装置を通して映像、ソフトウェア及びコンテンツのアップデートのための接続要請信号が前記停電補償ＬＥＤ照明補助カメラへ伝送されることをさらに含むことを特徴とする請求項１１に記載の無線LAN地域における停電補償ＬＥＤ照明補助カメラサービス方法。
【請求項１３】
前記中央サーバーが前記ローカルサーバーから伝送された映像アップデートの履歴情報を保存することをさらに含むことを特徴とする請求項１１に記載の無線LAN地域における停電補償ＬＥＤ照明補助カメラサービス方法。
【請求項１４】
映像アップデートの対象ではない場合、前記ローカルサーバーが前記停電補償ＬＥＤ照明補助カメラへ通信遮断信号を伝送することをさらに含むことを特徴とする請求項１１に記載の無線LAN地域における停電補償ＬＥＤ照明補助カメラサービス方法。
【請求項１５】
前記停電補償ＬＥＤ照明補助カメラが映像アップデートの承認を望まない場合、無線LAN装置を通して承認拒否信号を前記ローカルサーバーへ伝送し、前記承認拒否信号を受信した前記ローカルサーバーが前記停電補償ＬＥＤ照明補助カメラへ通信遮断信号を伝送することをさらに含むことを特徴とする請求項１１に記載の無線LAN地域における停電補償ＬＥＤ照明補助カメラサービス方法。
【請求項１６】
前記通信及び電源復旧のとき内蔵メモリ映像信号をローカルサーバーへ伝送することを特徴とする請求項１１に記載の無線LAN地域における停電補償ＬＥＤ照明補助カメラサービス方法。
【請求項１７】
停電補償ＬＥＤ照明補助カメラからスマートフォンに映像をサービスする方法において、前記スマートフォンから連結の要請があったとき、近距離無線通信を通して連結する過程と、前記スマートフォンから選択された停電補償ＬＥＤ照明補助カメラの映像信号を前記スマートフォンへ伝送することと、停電補償ＬＥＤ照明補助カメラ別に固有の番号またはアイディ（ＩＤ）が割り当てられていることを特徴とする停電補償ＬＥＤ照明補助カメラサービス方法。
【請求項１８】
スマートフォンから停電補償ＬＥＤ照明補助カメラの映像をサービスする方法において、映像サービスアプリケーション（プログラム）が実行されると、停電補償ＬＥＤ照明補助カメラと近距離無線通信を通して連結を要請することと、前記近距離無線通信を通して停電補償ＬＥＤ照明補助カメラの選択された映像を伝送することと、前記選択された映像信号が前記停電補償ＬＥＤ照明補助カメラから受信されると選択された映像をディスプレイ部へ出力することと、停電補償ＬＥＤ照明補助カメラ別に固有の番号またはアイディ（ＩＤ）が割り当てられていることを特徴とする停電補償ＬＥＤ照明補助カメラサービス方法。
【請求項１９】
前記近距離無線通信は、無線LAN、ジグビー（Ｚｉｇｂｅｅ）、ブルートゥース（Ｂｌｕｅｔｏｏｔｈ）、超広帯域（Ｕｌｔｒａ  Ｗｉｄｅｂａｎｄ）のいずれかひとつであることを特徴とする請求項１７または１８に記載の停電補償ＬＥＤ照明補助カメラサービス方法。
【請求項２０】
前記無線LAN、ジグビー、広帯域通信を用いてカメラ及び電灯をオン／オフすることができることを特徴とする請求項１９に記載の停電補償ＬＥＤ照明補助カメラサービス方法。
【請求項２１】
外部電源が入力されるようバルブソケットが形成された胴体と、前記バルブソケットが形成された側の反対側の部分に組み立てられ結合された前記補助カメラと、前記補助カメラの外側面に結合して電気的に連結されたＬＥＤモジュールと、前記胴体の内蔵された一側に風力を介して電気を発生させる風力発電器と、内蔵設置された風力発電器は、回転軸に風力にて回動できるよう前記胴体の外側面に結合された二つまたは複数のブレードと、バルブソケットと固定して結合される前記胴体を支持するブラケットと、前記胴体の外側面に太陽光にて電気を発生させるソーラーセルと、前記胴体の外側面に内部電源を入力及び出力するＵＳＢ端子と、前記バルブソケットを介して外部電源を直流電源に変換するコンバーターＡ及びコンバーターＢと、前記胴体の内部に内蔵された１次蓄電部及び２次蓄電部と、外部電源を用いて前記１次蓄電部及び２次蓄電部を充電する充電部と電気的に連結された状態で前記１次蓄電部及び２次蓄電部に充電された電源でＬＥＤモジュールの作動を制御する制御部と、前記制御部は、外部電源を感知する電圧感知モジュールと、２次電池の電圧及び電流を制御する低電圧制御部と、で構成されたことを特徴とする停電補償ＬＥＤ照明装置。
【請求項２２】
前記停電補償ＬＥＤ照明装置の充電部は、前記１次蓄電部、２次蓄電部へ入力された外部電源を制御する定電圧及び定電流素子またはＩＣで充電されるように構成されていることを特徴とする請求項２１に記載の停電補償ＬＥＤ照明装置。
【請求項２３】
前記１次蓄電部は、陽極と陰極の構成が異なるよう製作されたハイブリッドキャパシタと電気二重層キャパシタ及びハイブリッド電池、ニッケル水素電池、ニッケルリン酸鉄電池、リチウムリン酸鉄電池、リチウムポリマーのいずれかひとつ以上から構成されることを特徴とする請求項２１に記載の停電補償ＬＥＤ照明装置。
【請求項２４】
前記２次蓄電部は、前記胴体１０に着脱が容易であるよう陥入して構成され２次蓄電部カバー１１１３を構成し、充電及び放電が容易なニッケル水素バッテリー、リチウムポリマー電池、ハイブリッド電池、リチウムリン酸鉄電池、リチウムポリマーのいずれかひとつ以上から構成されることを特徴とする請求項２１に記載の停電補償ＬＥＤ照明装置。
【請求項２５】
バルブソケットと固定して結合される支持台にバルブソケットの外側面のねじ山とブラケットの外側面のねじ山が回動して結合されやすいよう構成されたことを特徴とする請求項２１に記載の停電補償ＬＥＤ照明装置。
【請求項２６】
前記２次蓄電部は、基準電圧の以下に落ちた場合、出力スイッチをオフさせて出力される電圧及び電流を遮断することを特徴とする請求項２１に記載の停電補償ＬＥＤ照明装置。
【請求項２７】
前記ブレードは、水平断面を平面とみなしたとき、内側面は陥没された形状からなり、外側面は揚力発生が容易な内側面に対して逆の形状に備えられたことを特徴とする請求項２１に記載の停電補償ＬＥＤ照明装置。
【請求項２８】
前記制御部は、ソーラーセルの出力電圧を測定して前記ソーラーセルの電圧が基準以下のとき、前記１次蓄電部及び２次蓄電部の電圧を出力してＬＥＤモジュールへ出力される制御部がさらに含まれることを特徴とする請求項２１に記載の停電補償ＬＥＤ照明装置。
【請求項２９】
風力発電器、ソーラーセル、補助カメラは、前記胴体のいずれか一つまたはそれ以上を選択して構成されたことを特徴とする請求項２１に記載の停電補償ＬＥＤ照明装置。
【請求項３０】
前記コンバーターＡ及びコンバーターＢは、電気的に並列接続されて選択使用できることを特徴とする請求項２１に記載の停電補償ＬＥＤ照明装置。
【請求項３１】
前記１次蓄電部及び２次蓄電部の出力電圧は、前記ダイオードを通して出力されることを特徴とする請求項２１に記載の停電補償ＬＥＤ照明装置。
【請求項３２】
前記充電部から２次蓄電部へ入力される外部電源を制御する定電圧及び定電流素子及びＩＣまたは、逆電流防止ダイオードと電流制限用の抵抗などでいずれかひとつまたはそれ以上を選択して充電されるよう構成されたことを特徴とする請求項２２に記載の停電補償ＬＥＤ照明装置。
【請求項３３】
前記１次蓄電部及び２次蓄電部の出力電圧を受けて前記定電圧及び定電流素子及びＩＣまたは、電流制限用の抵抗などを通してＬＥＤモジュールへ出力されるが、ソーラーと風力を介して蓄電部に蓄電することを特徴とする請求項３１に記載の停電補償ＬＥＤ照明装置。
【請求項３４】
前記充電モジュールとＬＥＤモジュールに別途の放熱板を備えてファンにて熱を放出することを特徴とする請求項１に記載の停電補償ＬＥＤ照明装置。
【請求項３５】
前記充電部は、コンバーター電源を減圧させて充電させ、放電のときに蓄電部の電圧を昇圧させてＬＥＤモジュールへ供給することを特徴とする請求項２１に記載の停電補償ＬＥＤ照明装置。
【請求項３６】
前記充電部／蓄電部の温度の設定値以上のとき、低電圧制御部は、電気スイッチにて充電を遮断制御することを特徴とする請求項３５に記載の停電補償ＬＥＤ照明装置。
【発明の詳細な説明】
【技術分野】
【０００１】
本発明は、停電補償ＬＥＤ照明装置及び補助カメラサービス方法に関するもので、蓄電部にハイブリッドキャパシタまたは電気二重層キャパシタ（ＥＤＬＣ）などを使用するようにして、２次電池を使用する場合に発生する様々な問題を克服し、非常照明装置が実際の非常時に容易に使用できるよう、短時間内に高速充電が可能であるようにして非常時に人の視野を確保することができるようにした停電補償ＬＥＤ照明に、電源の供給ができない環境下で上記蓄電池を内蔵し風力、太陽光を用いて場所に限られず使用できる環境を備えた装置とカメラモジュールを内蔵してカメラと近距離無線通信を通して連結を要請する過程と、それぞれの停電補償ＬＥＤ照明装置の固有番号と上記固有番号によるソフトウェア及びアップデート、照明の電源をターンオン／オフ、点灯／消灯の手順の設定と履歴情報を上記中央サーバーから送受信して上記装着されたカメラの映像をローカルサーバーから最新映像保存と制御、防犯などの機能を行うことができる補助カメラサービス方法及び装置に関する。
【背景技術】
【０００２】
一般に、大型の建物や公の場などでは、基本的に設置される照明装置 の他に停電などの非常状態に備えて非常照明装置の設置が義務付けられている。
【０００３】
このような非常照明装置は、外部ＡＣ電源が遮断されたときに点灯されるよう設けられるが、この際、非常照明装置の電源として主に使用される２次電池は、リチウムイオン電池またはリチウムポリマー電池、鉛蓄電池、ニッケル水素電池、ニッケルカドミウム電池、ニッケルリン酸鉄電池、リチウムリン酸鉄電池などがある。
【０００４】
しかし、該当電池を充電するのにかかる時間が長いだけでなく、非常照明装置の作動の特性上、寿命が非常に短いという短所がある。
【０００５】
最近、新築の建物に遠隔検針、照明を始めとした各種のデジタル方式の電子機器の制御、防犯などの機能を行うことのできるネットワークシステムが急速に発展しつつある。
【０００６】
このような上記ネットワークシステムに適用された非常照明の制御機能と赤外線（ＩＲ）通信機能を備えた電力制御中心のネットワーク制御装置は、従来の技術に比べて進歩したものであると言える。
【０００７】
このように映像の保存と制御、防犯カメラの機能のある従来技術は、電力線通信送信端（Ｐｏｗｅｒ  Ｌｉｎｅ  Ｃｏｍｍｕｎｉｃａｔｉｏｎ  Ｔｒａｎｓｍｉｔｔｅｒ、以下'ＰＬＣ  ＴＸ'と称する。）、電力線通信受信端（Ｐｏｗｅｒ  Ｌｉｎｅ  Ｃｏｍｍｕｎｉｃａｔｉｏｎ  Ｒｅｃｅｉｖｅｒ、以下'ＰＬＣ  ＲＸ'と称する。）。
【０００８】
モニターで構成されカメラ映像をＰＬＣ  ＴＸに連結し、上記ＰＬＣ  ＴＸはカメラ自体の電源線を用いて伝送すると、モニターの前端に装着されたＰＬＣ ＲＸから映像が印加されてモニタービデオイン（Ｖｉｄｅｏ  Ｉｎ）端子に連結して自動にモニターにディスプレイされるようにしたため、カメラとモニターとの間に別途のＰＬＣ  ＴＸとＰＬＣ  ＲＸを設置しなければならず、費用の負担と設置の厄介さという問題点があった。
【０００９】
一方、映像の保存と制御、防犯カメラの機能において、製造社またはサービス提供会社は、各製品に関する最新ソフトウェア及びコンテンツを頻繁に提供することによって、使用者に最新の情報が入力されたソフトウェア及びコンテンツを提供するためには、使用者が直接オンラインに接続して所定の手続きを通して行わなければならず、使用者がオンラインに直接接続する前には確認することが難しいという問題点及び停電の時には活用できないという短所があった。
【００１０】
従って、非常照明装置が実際の非常時に容易に使用できるよう２次電池の上記した問題を克服し短時間内に高速充電ができるようにして、非常時に人の視野が確保できるようにした電池を使用するという、より進歩した停電補償機能ＬＥＤ照明に対する開発が必要な状況である。
【発明の概要】
【発明が解決しようとする課題】
【００１１】
本発明は、上記技術の問題点を克服すべく成されたもので、照明装置に使用される蓄電池をハイブリッドキャパシタと電気二重層キャパシタ及びハイブリッド電池、リチウムリン酸鉄電池、リチウムポリマーのいずれかひとつ以上で備え、非常時に上記照明装置のより安定した作動を保障するようにすることを主な目的とする。
【００１２】
また、本発明の更なる目的は、光測定センサーを含むことで、非常時であっても外部から供給される光量が十分な場合には、照明装置が作動しないようにして蓄電池の充電電源量をより効率的に使用できるようにする。
【００１３】
また、本発明の更なる目的は、非常時に外部から光が微かに供給される場合、ＬＥＤ電球の照度を調節して蓄電池に充電された電源をより節約できるようにする。
【００１４】
また、本発明の更なる目的は、逆電流防止ダイオード及び保護抵抗を用いて蓄電池の損傷及び電池的過ちを防止する。
【００１５】
また、本発明の更なる目的は、建物の中で停電が発生した場合、停電が続く時間を把握して該当時間と蓄電池に充電された電源量に応じて停電された間照明が消灯することがないようにする。
【００１６】
また、本発明の更なる目的は、照明装置に使用される反射板の特定の部位を膨らむよう形成して非常退避路側が他側より明るく照らすようにすることによって、非常時に建物の中の人がより直感的に非常退避路を見つけるようにする。
【００１７】
また、本発明の更なる目的は、スマートフォンにおいて、停電補償ＬＥＤ照明制御と補助カメラサービス方法及び装置を提供することにある。
【００１８】
また、本発明の更なる目的は、無線LAN装置を設置した地域において、停電補償ＬＥＤ照明の固有番号を確認してアップデート対象があるかと保存された映像をダウンロードできるようにする。
【００１９】
また、本発明の更なる目的は、電源の供給ができない環境下で上記蓄電池を内蔵して風力、ソーラーセルを用いて場所に限られること無く使用できるようにする。
【課題を解決するための手段】
【００２０】
このような目的を達成すべく、本発明は、一部に外部電源と連結されて交流電源が入力されるソケットボルトが形成された函体状の胴体と、上記胴体において上記ソケットボルトが形成された側の反対側の部分に組み立てられ結合された反射板からなる停電補償機能ＬＥＤ照明装置であって、上記胴体の内部に形成されるがＬＥＤ電球が上記反射板に向かうよう複数装着されたＬＥＤモジュールと、上記ソケットボルトを介して外部から入力される交流電源を直流電源に変換するコンバーターと、上記胴体の内部に形成された蓄電池と、外部電源を用いて上記蓄電池を充電し上記ＬＥＤモジュールと電気的に連結された状態で上記蓄電池に充電された電源にてＬＥＤモジュールの作動を制御する制御部と、から構成され、上記制御部は、外部電源にて上記蓄電池を充電する充電モジュールと、上記胴体の一側に形成されて現在の光量をセンシングする光測定センサーと、外部電源の電圧を感知する電圧感知モジュールと、上記光測定センサーから光量数値が伝送される光量感知モジュールと、上記電圧感知モジュールから電圧数値が伝送され上記電圧数値が一定の水準以下に落ちると上記光量感知モジュールから光量数値が伝送され、上記光量数値に応じて上記ＬＥＤモジュールを作動するかどうかを判断して作動信号を生成する判断モジュールと、上記判断モジュールから作動信号が伝送され上記蓄電池に充電された電源にてＬＥＤモジュールを制御する制御モジュールと、を含む。
【００２１】
また、上記蓄電池は、陽極と陰極の構成が相違して製作されたハイブリッドキャパシタと電気二重層キャパシタ及びハイブリッド電池、リチウムリン酸鉄電池、リチウムポリマーのいずれかひとつ以上で備えられる。
【００２２】
また、上記判断モジュールは、上記光量感知モジュールから光量数値が伝送され上記光量数値に応じてＬＥＤ照明の照度を判断して照度数値を生成する照度判断部をさらに含み、上記制御モジュールは、上記照度判断部から照度数値が伝送され上記蓄電池から上記ＬＥＤモジュールへ出力される電源の量を制御する照度制御部をさらに含む。
【００２３】
また、上記制御部は、無線通信部を介して電力公社サーバーと連動して該当建物の停電時間情報を把握する通信部と公社の関係者から直接停電時間の情報が入力される入力部とからなる情報受信モジュールと、上記蓄電池に充電された電源量を把握して充電量の情報を生成する充電量把握モジュールがさらに含まれ、上記制御モジュール、は上記情報受信モジュールと上記充電量把握モジュールとから各情報が伝送され、上記充電量の情報をもとに上記時間情報の間に上記ＬＥＤ電球が点灯された状態が保たれるようにするための時間単位当たりの出力量を把握して上記蓄電池から上記ＬＥＤモジュールへ出力される電源出力量を制御する出力量制御部をさらに含む。
【００２４】
また、上記反射板は、扇形からなるが特定の部分が内側に膨らむように形成されてＬＥＤ電球から放出された光が特定の部分に集中して屈折するようにすることによって、非常退避路が備えられた地点が他の地点より明るく照らすようにする。
【００２５】
また、上記反射板は、熱を加える場合に膨張する性質を持った材料で形成されるが、上記反射板には上記ＬＥＤ電球が電源が付いていることで発生する熱を集中させて保存する熱保存部と、上記光集中部が備えられた部分が他の部分と熱的交換が行われないよう分離する区画部と、上記熱保存部と上記区画部を連結して上記熱保存部の熱を上記区画部へ伝達する熱線がさらに備えられ、上記制御部は、上記充電量把握モジュールから上記充電量情報が伝送され上記蓄電池の充電量が一定の水準未満の場合、上記熱保存部に保存された熱を上記区画部へ伝達するようにする熱流れ制御モジュールがさらに含まれ、上記区画部へ熱が伝達されると該当部が膨張することにより、上記光集中部が上記蓄電池の充電量に応じて可変的に流動するようにする。
【００２６】
また、上記停電補償機能ＬＥＤ照明装置は、外部から上記蓄電池に入力される電流の逆電流を防止する逆電流防止ダイオードと、電流の急速な流れを防止する保護抵抗からなる流れ制御部と、をさらに含む。
【００２７】
一方、無線LAN地域における停電補償ＬＥＤ照明装置及び補助カメラサービス方法において、映像、ソフトウェア及びダウンロード システムに関するもので、停電補償ＬＥＤ照明装置にそれぞれの固有番号と上記固有番号による映像、ソフトウェア、コンテンツ及びアップデートの履歴情報を保存管理しており、インターネット網を通して上記無線LAN地域に設けられたローカルサーバーと停電補償ＬＥＤ照明装置の固有番号によるアップデートの履歴情報を送受信する中央サーバーと、上記無線LAN地域に設けられ、上記停電補償ＬＥＤ照明装置の固有番号と、固有番号によるソフトウェア、映像、コンテンツ及びアップデートの履歴情報を上記中央サーバーから受信して保存管理しており、上記停電補償ＬＥＤ照明装置が設けられた地域に設けられた無線LAN装置を通して映像、ソフトウェア及びコンテンツのアップデートのための無線信号を停電補償ＬＥＤ照明装置と送受信することによって、アップデートの対象であるか否かを判断し、アップデートの対象である場合、上記停電補償ＬＥＤ照明装置へ映像、ソフトウェア及びコンテンツを伝送し、更新した停電補償ＬＥＤ照明装置のアップデートの履歴情報を中央サーバーへ伝送するローカルサーバーと、及び上記無線LAN装置を通してローカルサーバーから映像、ソフトウェア及びコンテンツのアップデートのための接続要請信号を受信した後、それによる接続許可信号または接続拒否信号を伝送し、上記停電補償ＬＥＤ照明装置がアップデートの対象である場合、ローカルサーバーから承認要請信号を受信してこれによる承認信号をローカルサーバーへ伝送した後、上記ローカルサーバーから保存映像、ソフトウェア及びコンテンツを受信して保存する停電補償ＬＥＤ照明装置と、を含む。
【００２８】
また、無線LAN地域における停電補償ＬＥＤ照明装置の補助カメラサービス方法に関するもので、無線LAN装置から映像、ソフトウェア及びコンテンツのアップデートのための接続要請信号を受信した上記停電補償ＬＥＤ照明装置の接続要請信号による停電補償ＬＥＤ照明装置の固有番号を上記無線LAN装置を通してローカルサーバーへ伝送する段階と、上記ローカルサーバーが受信した停電補償ＬＥＤ照明装置の固有番号と既に保存された該当停電補償ＬＥＤ照明装置の履歴情報を比較することによって、該当停電補償ＬＥＤ照明装置がアップデートの対象であるか否かを判断する段階と、上記段階の判断結果、アップデートの対象である場合、上記ローカルサーバーが無線LAN装置を通してアップデート承認要請信号を上記停電補償ＬＥＤ照明装置へ伝送する段階と、上記停電補償ＬＥＤ照明装置がアップデートを承認しようとする場合、上記無線LAN装置を通して承認信号を上記ローカルサーバーへ伝送する段階と、上記ローカルサーバーが上記無線LAN装置を通して該当停電補償ＬＥＤ照明装置の保存映像、ソフトウェア及びコンテンツを伝送する段階と、上記停電補償ＬＥＤ照明装置が上記最新映像、ソフトウェア及びコンテンツを受信して保存する段階と、及び上記ローカルサーバーが￥更新されたアップデートの履歴情報を保存した後、上記更新されたアップデートの履歴情報をインターネット網を通して上記中央サーバーへ伝送する段階と、を含む。
【００２９】
また、本発明の上述した目的を達成するための更なる目的によると、上記スマートフォンから連結要請を受信したとき、無線LANを通して連結する過程と、無線LANを通してカメラに連結され、映像を選択し伝送して上記選択された映像信号が上記カメラから受信されると、上記映像信号を処理して出力する機能を制御する制御部と、上記受信した映像信号を処理する映像信号処理モジュールと、上記映像信号処理モジュールによって処理された映像信号を出力する表示部と、上記無線通信を送受信する無線LAN送受信部と、上記スマートフォンから連結要請を受信したとき、選択された映像が受信されると該当地域を撮影して撮影された映像信号を上記スマートフォンへ伝送する機能を制御する制御部と、上記制御部によって該当地域を撮影する撮影部と、上記無線LAN信号を送受信する無線送受信部と、を含む。
【００３０】
また、本発明の上述した目的を達成するための更なる目的によると、スマートフォンにおいてカメラと連結して映像を確認するための方法は、映像受信アプリケーションが実行されると、カメラと近距離無線通信を通して連結を要請する過程と、上記無線LANを通して上記カメラと連結されると映像を選択して伝送する過程と、上記選択された映像信号がカメラから受信されると上記映像信号を処理して表示部へ出力する過程と、を含む。
【００３１】
また、本発明の上述した目的を達成するための更なる目的によると、停電補償ＬＥＤ照明装置は、交流電源を直流電源に変換するコンバーターと、外部電源を用いて上記蓄電池を充電し上記ＬＥＤモジュールと電気的に連結された状態で上記蓄電池に充電された電源にてＬＥＤモジュールの作動を制御する制御部と、上記制御部は、外部電源の電圧を感知する電圧感知モジュールと、２次電池の寿命を伸ばすことのできる低電圧制御部とで構成され、上記胴体の一側に形成され風力にて回動できる回転軸及びブレードと、風力から発生した電気を発生させる風力発電器とソーラーセルを用いて場所に限られること無く使用できる環境を提供する。
【００３２】
また、本発明の上述した目的を達成するための更なる目的によると、停電補償ＬＥＤ照明装置は、外部から上記蓄電池に入力される電流と電圧を制御する定電流及び定電圧素子でハイブリッドキャパシタと電気二重層キャパシタ及びハイブリッド電池に電流と電圧の急速な流れを防止する充電部と、をさらに含む。
【発明の効果】
【００３３】
本発明による停電補償ＬＥＤ照明装置及び補助カメラサービス方法によると、
１）電気二重層キャパシタ或いはハイブリッドキャパシタを蓄電池として用いて安定した蓄電状態を保つことができ、２次電池の短所を克服して急速充電が可能となり帯電流で放電することができ、建物の中で停電が発生した場合、１次蓄電部と２次蓄電部を構成して有効点灯時間を伸ばすことができ、蓄電池の低電圧の制御によって２次電池の寿命を伸ばすことができる。
【００３４】
２）光測定センサーを含み、非常時であっても外部から供給される光量が十分な場合には上記照明装置が作動しないようにして蓄電池の充電電源量をより効率的に使用できるようにすると同時に、
【００３５】
３）反射板の特定の部分を膨らむよう形成して非常退避路側が他側より明るく照らすようにすることによって、人がより直感的に非常退避路を見つけるようにして人身事故を減らすだけでなく、
【００３６】
４）建物の中で停電が発生した場合、停電が続く時間を把握して該当時間と蓄電池に充電された電源量に応じて停電された間照明が消灯することがないようにするという効果がある。
【００３７】
５）電源の供給ができない環境下で上記蓄電池を内蔵して風力、太陽光を用いて場所に限られることなく使用することができ、
【００３８】
６）カメラの映像が無線LANを通して提供されスマートフォンに出力することによって、上記停電補償ＬＥＤ照明補助カメラの設置によってスマートフォンを用いてサービスを受けることができるという効果がある。
【００３９】
７）使用者が直接オンラインに接続してダウンロードしたり、使用者による別途の停電補償ＬＥＤ照明装置のアップデートの確認を必要とせず、無線LAN地域に進入することで、該当停電補償ＬＥＤ照明装置の映像、ソフトウェア及びコンテンツを自動で提供を受けるという特別な効果がある。
【００４０】
８）建物の中で停電が発生した場合、蓄電池に充電された電源量によって停電補償ＬＥＤ照明補助カメラを作動させ、停電された時間の間照明が消灯しないようにするという効果がある。
【図面の簡単な説明】
【００４１】
【図１】図１は本発明による停電補償ＬＥＤ照明装置の第１実施例の構成を示した図面である。
【図２】図２は図１の停電補償ＬＥＤ照明装置の流れ制御部３１の概略的な構成を示した回路図である。
【図３】図３は図１の停電補償ＬＥＤ照明装置の制御部の構成を図示したブロック図である。
【図４】図４は図１の停電補償ＬＥＤ照明装置の制御部の作用を示した手順図である。
【図５】図５は図１の停電補償ＬＥＤ照明装置においてコンバーター電源が印加される過程を示した図面である。
【図６】図６は従来の反射板を使用したＬＥＤランプの光反射角を示した拡大断面図である。
【図７】図７は本発明による停電補償ＬＥＤ照明装置の反射板の一実施例とこれによる光の反射角を示した拡大断面図である。
【図８】図８は本発明による停電補償ＬＥＤ照明補助カメラサービスシステムを概略的に示した図面である。
【図９】図９は本発明による停電補償ＬＥＤ照明補助カメラの映像、ソフトウェア及びコンテンツのダウンロード方法に関する全体のフロー図である。
【図１０】図１０は本発明の実施例によるスマートフォン及び停電補償ＬＥＤ照明補助カメラのブロック構成図である。
【図１１】図１１は本発明の実施例による停電補償ＬＥＤ照明補助カメラの映像を出力するスマートフォンの手順図である。
【図１２】図１２は本発明の実施例によるスマートフォンにおいて近距離無線通信を通して映像を提供する停電補償ＬＥＤ照明補助カメラの手順図である。
【図１３】図１３は本発明による停電補償ＬＥＤ照明補助カメラの設けられた平面図と２次蓄電部の設置例による斜視図である。
【図１４】図１４は本発明による停電補償ＬＥＤ照明の斜視図及び風力発電器の設置内蔵された拡大断面図である。
【図１５】図１５は本発明による停電補償ＬＥＤ照明装置に内蔵された制御部の構成と作用を示したブロック図である。
【図１６】図１６は本発明による停電補償ＬＥＤ照明装置の概略的な回路図である。
【発明を実施するための形態】
【００４２】
以下、添付の図面を参照して本発明の好ましい実施例を詳しく説明する。
【００４３】
図１は、本発明による停電補償ＬＥＤ照明装置の第１実施例の構成を示した図面である。
【００４４】
図１から分かるように、本発明による停電補償ＬＥＤ照明装置は、蓄電池３０などの構成要素が内部に安着した函体で形成されたもので、その一部が外部電源と連結されて交流電源が入力されるソケットボルト１１が形成された胴体１０と、胴体１０において上記ソケットボルト１１が形成された側の反対側にはＬＥＤ電球の直線性の光を反射させる反射板４０が組み立てられることによって照明器具の外観を形成し、ＬＥＤ電球が上記反射板４０の方向に向かうよう放射状に複数装着されるが、後述の制御部１００と電気的に連結される媒体として作用する第１接合部を含んだＬＥＤモジュール２０と、電気二重層キャパシタ（ＥＤＬＣ）またはハイブリッドキャパシタのいずれかひとつからなり、後述の制御部１００と連結された蓄電池３０、上記ＬＥＤモジュール２０の第１接合部と連結される第２接合部を含んで上記蓄電池３０から供給される電源にてＬＥＤモジュール２０の作動を制御する制御部１００と、から構成される。
【００４５】
特に、上記胴体１０は、光が透過するが外部の衝撃に強い性質を持つポリカーボネート（ＰＣ）材質からなるよう構成されることにより、火災や停電などのとき照明装置に加わる衝撃にも内部の構成要素をより安全に保護できるようにする。
【００４６】
胴体１０のソケットボルト１１は、胴体１０の一部と接着結合されるが、この場合使用される接着剤は、ＬＥＤ電球が作動する場合に電球から発散する熱によって接着力が低下しないよう、エポキシ樹脂及び顔料、添加剤、ポリアミド硬化剤を主成分とする接着剤を使用することが最も好ましい。
【００４７】
また、上記ＬＥＤモジュール２０と制御部１００を連結する上記第１接合部及び第２接合部は、ボルトタイプ或いはピンタイプなどからなり、ＬＥＤモジュール２０と制御部１００が電気的に接続できるようにすることによって、ＬＥＤ電球が装着されたＬＥＤモジュール２０に異常が生じた場合に、容易にＬＥＤモジュール２０のみ取り替えて使用できるようにする。
【００４８】
さらに、上記ＬＥＤモジュール２０のＬＥＤ電球は、放射状に形成されるが、単層構成ではなく複層であるため、より多い数のＬＥＤ電球が装着されるようにすることによって、本発明による照明装置の照度をさらに向上することができる。
【００４９】
本発明による停電補償ＬＥＤ照明装置において、蓄電池３０として使用される電気二重層キャパシタ（ＥＤＬＣ）とハイブリッドキャパシタの特長点及び相違点を述べると、電気二重層キャパシタ（ＥＤＬＣ）は、電気化学系において電解質と電極の接触界面に電気二重層が存在するキャパシタであって、スーパーキャパシタとも呼ばれ、電池と電解コンデンサーの中間の特性を有している。
【００５０】
電気二重層キャパシタ（ＥＤＬＣ）は、在来式キャパシタと比べて蓄電エネルギーが数百倍以上であり、充電池に比べて充電及び放電の速度が１０倍以上であるだけでなく、寿命が長いという長所があり、次世代のエネルギー保存装置として評価されている。
【００５１】
すなわち、電気二重層キャパシタは、ニッケル水素２次電池やリチウムイオン２次電池などには無い特性を有しているが、急速充電が可能であり、帯電流で放電できるという点の他にも５０万回以上の充電及び放電を繰り返してもその性能に変わりがないという長所を有している。ここで、ＥＤＬＣ（Ｅｌｅｃｔｒｏｎｉｃ  Ｄｏｕｂｌｅ  Ｌａｙｅｒ  Ｃａｐａｃｉｔｏｒ）は活性炭などの炭素質の材料を主体とする陽陰極の分極性の電極及び非水電解液で構成されたもので、耐電圧性や、停電容量には非水系電解液の組成が大きな影響を与えるものと知られており、ビデオ、オーディオなどの電子機器のメモリのバックアップ用、携帯機器の電池の取替え時の補助電源、太陽電池を使用して時計や表示灯などの機器の軸電源などに用いられている。
【００５２】
ところが、一般に使用されている円筒形ＥＤＬＣは、リード線の設置が難しくて接触部の電気の抵抗を低くすることが難しく、組立時に隙間が大きくなって充電率が低下するという問題点が指摘されており、角形の場合にもキャパシタの性能を保証するには良いが製作が難しいため値段が高くなるという問題がある。
【００５３】
ハイブリッドキャパシタの特性を説明すると、電解質で置換基がアルコキシアルキル基を少なくとも１つ持つ４次アンモニウム塩及び４次ポスポニウム塩のイオン性液体を使用して電気二重層キャパシタ（ＥＤＬＣ）より過量のエネルギーを長時間保つことができるだけでなく、エネルギー及び出力密度が向上した機能を発することができ、電極の高容量及び高率特性を有する二次電池と類似な機能を有するため、電気的な安定性がさらに優れていると知られている。最近、非常照明装置の急速な成長に伴い携帯用機器及び装備などの方式が既存のアナログ方式からデジタル方式にかわることで、その機能の複雑性が増加する傾向にある。このような傾向による携帯用非常照明装置は、既存の電池に比べて高出力、小型化、軽量化また安い単価を要求し、特に充電された電源で周期的に瞬間高電流パルスが流れる特性を有し、瞬間帯電流パルス放電が可能な高出力ハイブリッド電池として、特にリチウム１次電池に大面積からなる高出力電気二重層キャパシタを並列ハイブリッド化することによって、帯電流パルス放電は勿論、長寿命の特性を確保した高出力ハイブリッド電池に関する。
【００５４】
本発明に適用される上記蓄電池３０は、上述したとおり、陽極と陰極の構成が異なるよう製作されたハイブリッドキャパシタ、電気二重層キャパシタ（ＥＤＬＣ）と上記に明示した高出力のハイブリッド電池、リチウムリン酸鉄電池、リチウムポリマーのいずれかひとつ以上で備えられることができ、図１に図示されたとおり、円形のハウジングを備えた電気二重層キャパシタ（ＥＤＬＣ）で備えられることができるが、キャパシタの形状及び種類はこれに限定されるのではなく、エネルギーを保存する様々な電池が適用されることもできる。
【００５５】
さらに、上記蓄電池３０がハイブリッドキャパシタまたは電気二重層キャパシタを用いた場合、蓄電池３０上で電流が逆方向に流れることを防止する逆電流防止ダイオード３１ａと、蓄電池３０へ充電電流が急速に入力されて蓄電池３０が過電圧によって損傷しないようにする保護抵抗３１ｂからなる流れ制御部３１を含むことができる。
【００５６】
上記流れ制御部３１は、図２から分かるように、電圧入力端子から電圧が入力されて蓄電池３０を充電し電圧出力端子に出力される過程において、２つの逆電流防止ダイオード３１ａと１つの保護抵抗３１ｂを用いて、蓄電池３０から電流が逆電流されることを防止すると同時に、蓄電池３０へ流入される電流に抵抗を与えることによって蓄電池３０が過電流の流入によって損傷しないようにする。
【００５７】
上記逆電流防止ダイオード３１ａと保護抵抗３１ｂは、上記流れ制御部３１の目的範囲内で類似な機能を行う他の素子に取り替え使用されることもできる。
【００５８】
上述の構成からなる照明装置が普段は作動せず非常時に点灯するように制御するため、本発明による停電補償ＬＥＤ照明装置には制御部１００が備えられる。
【００５９】
ここで、図３は、図１の停電補償ＬＥＤ照明装置の制御部の構成を図示したブロック図で、図４は、図１の停電補償ＬＥＤ照明装置の制御部の作用を示した手順図である。
【００６０】
図３ないし図４を参考して上記制御部１００の詳細な構成及び作用を説明すると、上記制御部１００は、充電モジュール１１０と光測定センサー１２、電圧感知モジュール１２０、光量感知モジュール１３０、判断モジュール１６０及び制御モジュール１７０を含んでなる。
【００６１】
充電モジュール１１０は、上記電圧感知モジュール１２０から信号を受け外部電源が交流電源のときに別途の電源回路を経て上記蓄電池３０を充電する役割をする。
【００６２】
光測定センサー１２は、フォトセンサー、ＣＤＳ、ソーラーモジュールなどのセンサーのいずれかひとつを適用したもので、胴体１０の一側に設けられて現在の光量をセンシングする役割をする。これは、停電や火災などの非常時であっても太陽による光量が十分である昼間の場合、照明装置が作動する必要がないという点から考え、現在の光量の数値をセンシングして、より効率的に照明装置を制御するようにするためである。
【００６３】
一方、上記充電モジュール１１０とＬＥＤモジュール２０に別途の放熱板を備えてファンにて熱を放出することが好ましい。
【００６４】
上記電圧感知モジュール１２０は、ソケットボルト１１を介して外部から供給される電源の電圧を感知して停電または低電圧の状態を感知して電圧数値を生成する機能を行う。
【００６５】
光量感知モジュール１３０は、上記光測定センサー１２からの光量数値が伝送される役割をするが、この際、上記光測定センサー１２とは細いケーブルを介して連結されて数値が伝送されるようにする。
【００６６】
判断モジュール１６０は、上記電圧感知モジュール１２０及び光量感知モジュール１３０から各信号が伝送され、ＬＥＤモジュール２０を作動するかどうかを判断するもので、電圧感知モジュール１２０から伝送された電圧数値が一定水準以下に落ちた場合、順次の遂行過程にて光量数値を判断して最終的にＬＥＤモジュール２０のオン／オフを判断する役割をする。
【００６７】
さらに、上記判断モジュール１６０は照度判断部１６１を含むことができるが、上記照度判断部１６１は上記光量感知モジュール１３０から伝送された光量数値によって照度を調節するもので、現在建物の中に流入する光量が無い場合には、ＬＥＤ電球の照度を最大にし、流入される光量が微かにでもある場合には、ＬＥＤ電球の照度を一定の水準まで低く調節して照度数値を生成する役割をして蓄電池３０に保存された電源の使用をより効率的に運用できるようにする。
【００６８】
制御モジュール１７０は、上記判断モジュール１６０から信号を受けてＬＥＤモジュール２０を制御するもので、オン信号が伝送された場合、蓄電池３０に蓄電された電源をＬＥＤモジュール２０へ出力する役割をする。このような制御モジュール１７０は、蓄電池３０からＬＥＤモジュールへ出力される電圧が一定の水準に保たれるようにすることによって、ＬＥＤモジュール２０の損傷を防止すると共に、安定した駆動状態を保障することができるという特性を提供する。
【００６９】
さらに、上記制御モジュール１７０は、照度制御部１７１をさらに含むことができるが、上記照度制御部１７１は、上記照度判断部１６１から照度数値が伝送され該当数値に従って上記蓄電池３０から上記ＬＥＤモジュール２０へ出力される電源の量を制御する役割をする。
【００７０】
すなわち、上述の構成からなる本発明による停電補償ＬＥＤ照明装置の作用を図４ないし図５を参考して説明すると、普段は上記電圧感知モジュール１２０から外部電源の交流／直流電源を感知し、該当電源が直流電源の場合には、直ちに上記充電モジュール１１０へ電源を供給し、交流電源の場合、上記コンバーターが該当電源を直流電源に変換して上記充電モジュール１１０を通して蓄電池３０を充電する。
【００７１】
しかし、停電或いは非常状態が発生して外部電源の供給が遮断されたり電圧が一定水準以下に減少すると、上記判断モジュール１６０から光量感知モジュール１３０を通して光量を判断し、光量もまた一定水準以下の場合、ＬＥＤモジュール２０へ蓄電池３０に保存された電源を供給してＬＥＤ電球を点灯させることにより、非常時に容易に点灯できるようにする。
【００７２】
一方、上記ＬＥＤモジュール２０は、昇圧部に電気的に連結されると共に蓄電部に電気的に連結されている。また、上記蓄電部は減圧部に電気的に連結されている。
【００７３】
ここで、上記減圧部にコンバーター電源が印加されると、減圧部はコンバーター電源を減圧した後、減圧されたコンバーター電源、すなわち、低電圧のコンバーター電源を蓄電部へ伝送する。
【００７４】
この際、蓄電部は低電圧を蓄積した後、低電圧をＬＥＤモジュールへ伝送する。また、上記ＬＥＤモジュールはコンバーター電源を昇圧部へ伝送する。
【００７５】
これによって、上記昇圧部はＬＥＤモジュールから伝送される低電圧を高電圧に昇圧する。
【００７６】
さらに、図７に図示されたとおり、反射板４０は、一般的な反射板４０のように平らな厚さからなるよう形成されたものではなく、一定の方向に向いて膨らんで形成され反射板４０に入射する光が特定の方向に屈折して反射することにより、建物の底の特定の部分に光が集中するようにすることができる。
【００７７】
上述の構成によっても所定の目的は達成できると言えるが、電力会社にて計画的に行われる停電や建物の電気工事などの事情によって決まった時間建物の内部に電源が供給されないという事情があった場合、蓄電池３０に充電されている電源量によって該当時間ＬＥＤ電球が点灯するようにするため、上記制御部１００には情報受信モジュール１４０がさらに含まれ、上記制御モジュール１７０には出力量制御部１７２がさらに含まれるようにすることができる。
【００７８】
上記情報受信モジュール１４０は、通信部１４１と入力部１４２からなり、上記通信部１４１は 電力会社のサーバーと連動して該当建物の停電時間を把握する役割をする。言い換えると、上記通信部１４１はインターネットなどの無線通信ネットワークを介して 電力会社のサーバーと無線で連動して 電力会社から提供する計画された停電時間を把握するのである。
【００７９】
入力部１４２は、電気工事などが計画されている場合、工事関係者が直接該当時間の情報を入力することができるようにしたものである。このような入力部１４２は、ボタンやスイッチなどの公知の手段を通して情報を入力することが好ましい。
【００８０】
この際、上記通信部１４１ないし入力部１４２が作動するために必要な電源は、上記蓄電池３０に充電された電源にて補うようにすることができ、停電が発生する前に予め該当時間を把握して準備できるようにすることも可能であるため、この際には追加の構成、すなわち、タイマーと該当情報を保存することができるようにする別途の媒体が備えられるべきである。
【００８１】
充電量把握モジュール１５０は、蓄電池３０に充電された充電量を把握して充電量の情報を生成するもので、上記充電モジュールと連動して機能する。
【００８２】
出力量制御部１７２は、上記制御モジュール１７０にさらに含まれるもので、上記情報受信モジュール１４０から時間情報が伝送され、充電量把握モジュール１５０から充電量が受信されて蓄電池３０に保存された充電量をもとに時間情報に該当する時間に割り当てられる電源量を分割し、すなわち、上記時間情報の間上記ＬＥＤ電球が点灯された状態を保つようにするための時間単位当たり、言い換えると、時間当たり或いは１分当たりの適正な出力量を把握して出力量情報に応じて蓄電池３０からＬＥＤモジュール２０へ出力される電源量を制御する役割をする。
【００８３】
このような構成がさらに備えられることにより、蓄電池３０に充電量が十分ではない場合に、非常のときＬＥＤ電球が点灯して外部電源が回復する前に電球が消灯して使用に不具合が発生することを事前に防ぐようにする。
【００８４】
図６は、従来の反射板を使用したＬＥＤランプの光反射角を示した拡大断面図で、反射板４０は扇形からなり直進性のＬＥＤ電球の光を均等に屈折して反射させ広い範囲に渡り満遍なく照らすようにする。
【００８５】
また、図７は、本発明による停電補償ＬＥＤ照明装置の反射板の一実施例と、これによる光の反射角を示した拡大断面図で、図７から分かるように、本発明に使用される反射板４０には扇形の反射板４０において特定の部分を内側に膨らむよう形成した光集中部４０ａをさらに含んで、ＬＥＤ電球の光の屈折に変化を与えることによって、特定の地点に光が集中するようにして、該当部分が他の部分より明るくみえるようにする。
【００８６】
これは、非常の際に暗い状況下で使用者に非常退避路が形成された部分を直感的に分かるようにするためのもので、より具体的には非常退避路が形成された地点の方に光量が集中するようにして（図面上の光集中の地点）他の部分より該当部分がさらに明るく見えるようにしたものである。
【００８７】
このような光集中部４０ａは、本発明による停電補償ＬＥＤ照明装置が設置される地点によって全て異なるよう設けられ、照明装置が設けられた地点から最も近い非常退避路の部分をさらに明るく照らすようにすべきである。
【００８８】
特に、この際に集中される光量は一定量を超えないようにし、すなわち、照度を一定水準以下に調節することによって、光が集中して該当部分に熱が発生し、これによる火災などの他の事件が生じないようにすることは当然のことである。
【００８９】
このような光集中部４０ａがさらに備えられた反射板４０が適用されることにより、非常事態に建物の中にいる人たちは慌てやすい瞬間により直感的に非常退避路を見つけることができるため、より安全な退避が可能となり人身事故を大幅に減らすことができる。
【００９０】
一方、図８ないし図９に図示されたとおり、停電補償ＬＥＤ照明補助カメラサービスシステムは、中央サーバー３１０、ローカルサーバー３２０及び停電補償ＬＥＤ照明補助カメラ３３０を含む。
【００９１】
具体的に、中央サーバー３１０は、停電補償ＬＥＤ照明補助カメラ３３０それぞれのＭＡＣ  Ａｄｄｒｅｓｓ（Ｍｅｄｉａ  Ａｃｃｅｓｓ  Ｃｏｎｔｒｏｌ  Ａｄｄｒｅｓｓ）と、ＭＡＣ  Ａｄｄｒｅｓｓによる映像、ソフトウェア、コンテンツ及びアップデートの履歴情報を保存管理しており、インターネット網を通して無線LAN地域に設けられたローカルサーバー３２０と停電補償ＬＥＤ照明補助カメラ３３０のＭＡＣ  Ａｄｄｒｅｓｓによるアップデートの履歴情報を周期的に送受信する機能を行う。
【００９２】
ここで、ＭＡＣ  Ａｄｄｒｅｓｓは、停電補償ＬＥＤ照明補助カメラそれぞれの固有識別番号として使用され、ＭＡＣ  Ａｄｄｒｅｓｓによるアップデートの履歴情報と共に中央サーバー３１０及びローカルサーバー３２０にて保存及び管理される。
【００９３】
従って、以下では、ＭＡＣ  Ａｄｄｒｅｓｓを'固有番号'と称することにする。また、上記アップデートの履歴情報は、映像別、ソフトウェア別、コンテンツ別の週／月／年間のアップデートサービス回数を含む。
【００９４】
また、ローカルサーバー３２０は、無線LAN地域に設けられ、停電補償ＬＥＤ照明補助カメラ３３０の固有番号と、固有番号による映像、ソフトウェア、コンテンツ及びアップデートの履歴情報を中央サーバー３１０から受信して保存管理しており、停電補償ＬＥＤ照明補助カメラ３３０が設けられた地域から無線LAN装置２００を通して映像、ソフトウェア及びコンテンツのアップデートのための無線信号を停電補償ＬＥＤ照明補助カメラ３３０と送受信することによってアップデートの対象であるか否かを判断し、アップデートの対象である場合、停電補償ＬＥＤ照明補助カメラ３３０へ映像、ソフトウェア及びコンテンツを伝送し、更新した停電補償ＬＥＤ照明補助カメラ３３０のアップデートの履歴情報を中央サーバー３１０へ伝送する機能を行い、中央サーバー３１０からインターネット網を通して停電補償ＬＥＤ照明補助カメラ３３０の固有番号による映像、ソフトウェア、コンテンツ及びアップデートの履歴情報を受信し、更新した停電補償ＬＥＤ照明補助カメラ３３０のアップデートの履歴情報を中央サーバー３１０へ伝送する第１通信部２１０を通して受信した停電補償ＬＥＤ照明補助カメラ３３０の固有番号による映像、ソフトウェアとコンテンツ及びアップデートの履歴情報を保存管理する映像アップデート情報保存部２２０、停電補償ＬＥＤ照明補助カメラ３３０と無線LAN装置２００を通して映像、ソフトウェア及びコンテンツのアップデートのための接続要請信号及び接続許可信号を送受信することによって、停電補償ＬＥＤ照明補助カメラ３３０から固有番号を受信し、固有番号による映像、ソフトウェアとコンテンツを停電補償ＬＥＤ照明補助カメラ３３０へ伝送し、アップデートの対象ではなかったり、停電補償ＬＥＤ照明補助カメラ３３０から承認拒否信号を受信した場合、停電補償ＬＥＤ照明補助カメラ３３０へ通信遮断信号を伝送する第２通信部２３０、及び第２通信部２３０を通して停電補償ＬＥＤ照明補助カメラ３３０から受信した固有番号と映像アップデート情報保存部２２０に保存された該当停電補償ＬＥＤ照明補助カメラ３３０のアップデートの履歴情報と比較することによって、該当停電補償ＬＥＤ照明補助カメラ３３０がアップデートの対象であるか否かを判断する映像アップデート対象判断部２４０を含む。
【００９５】
すなわち、ローカルサーバー３２０が停電補償ＬＥＤ照明補助カメラ３３０から受信した固有番号を用いて、ローカルサーバー３２０の映像アップデート対象判断部２４０は、映像アップデート情報保存部２２０に既に保存された履歴情報を検索することによって、アップデートの対象であるか否かを判断するようになる。
【００９６】
また、停電補償ＬＥＤ照明補助カメラ３３０は、無線LAN装置２００を通してローカルサーバー３２０から映像、ソフトウェア及びコンテンツのアップデートのための接続要請信号を受信した後、それによる接続許可信号または接続拒否信号を伝送し、停電補償ＬＥＤ照明補助カメラ３３０がアップデートの対象である場合、ローカルサーバー３２０から承認要請信号を受信してこれによる承認信号をローカルサーバー３２０へ伝送した後、ローカルサーバー３２０から最新映像、ソフトウェア及びコンテンツを受信して保存する機能を行う。
【００９７】
この際、停電補償ＬＥＤ照明補助カメラ３３０は、通常のカメラ機能を行い、一般のカメラの構成に関する説明は省略する。
【００９８】
参考までに、上記無線LAN装置２００は、上記したように、無線LAN地域に設けられ、ローカルサーバー３２０と停電補償ＬＥＤ照明補助カメラ３３０から発生した無線信号を送受信する機能を行う。
【００９９】
図９は、本発明による中央サーバー３１０、ローカルサーバー３２０及び停電補償ＬＥＤ照明補助カメラ３３０で構成されるシステムを用いた無線LAN地域におけるカメラの映像、ソフトウェア及びコンテンツのダウンロード方法に関する全体のフロー図であって、図示されたとおり、停電補償ＬＥＤ照明補助カメラ３３０が無線LAN地域に設けられた無線LAN装置２００を通して映像、ソフトウェア及びコンテンツのアップデートのための接続要請信号が伝送されＰ１、無線LAN装置２００から接続要請信号を受信した停電補償ＬＥＤ照明補助カメラ３３０は、上記接続要請信号によるカメラの固有番号／ＩＤ無線LAN装置２００を通してローカルサーバー３２０へ伝送するＰ２。
【０１００】
その後、ローカルサーバー３２０の映像アップデート対象判断部２４０は、受信した上記停電補償ＬＥＤ照明補助カメラ３３０の固有番号と映像、映像アップデート情報保存部２２０に既に保存された該当停電補償ＬＥＤ照明補助カメラ３３０の履歴情報を比較することによって、該当停電補償ＬＥＤ照明補助カメラ３３０がアップデートの対象であるか否かを判断するＰ３。
【０１０１】
第Ｐ３段階の判断結果、アップデートの対象である場合、ローカルサーバー３２０の第２通信部２３０は、無線LAN装置２００を通してアップデートの承認要請信号を伝送しＰ４、停電補償ＬＥＤ照明補助カメラ３３０がアップデートを承認しようとする場合、無線LAN装置２００を通して承認信号を伝送するＰ５。
【０１０２】
また、ローカルサーバー３２０の第２通信部２３０は、無線LAN装置２００を通して映像アップデート情報保存部２２０に保存された該当停電補償ＬＥＤ照明補助カメラ３３０の最新映像、ソフトウェア及びコンテンツを伝送しＰ６、停電補償ＬＥＤ照明補助カメラ３３０は、上記最新ソフトウェア及びコンテンツを受信して保存するＰ７。
【０１０３】
その後、ローカルサーバー３２０の映像アップデート情報保存部２２０は、更新されたアップデートの履歴情報を保存した後、上記更新されたアップデートの履歴情報をインターネット網を通して中央サーバー３１０へ伝送しＰ８、中央サーバー３１０は上記伝送された映像、アップデートの履歴情報を保存するＰ９。
【０１０４】
また、第Ｐ３段階の判断結果、アップデートの対象ではない場合、ローカルサーバー３２０の第２通信部２３０は、停電補償ＬＥＤ照明補助カメラ３３０へ通信遮断信号を伝送するＰ１０。
【０１０５】
また、第Ｐ５段階において停電補償ＬＥＤ照明補助カメラ３３０がアップデートの承認を望まない場合、無線LAN装置２００を通して承認拒否信号を伝送しＰ１１、上記承認拒否信号を受信したローカルサーバー３２０の第２通信部２３０は、停電補償ＬＥＤ照明補助カメラ３３０へ通信遮断信号を伝送するＰ１２。さらに、通信及び電源に遮断が発生したとき、停電補償ＬＥＤ照明補助カメラ３３０の蓄電部電源に内蔵されたメモリに撮影された映像を別途保存しＰ１３、上記通信及び電源の復旧の際に内蔵メモリ映像信号を伝送するＰ１４。ここで、内蔵メモリとしては、ＳＤ、ＭＭＣ、ＭＳ、ＣＦカードなどが挙げられる。
【０１０６】
また、上記説明では、停電補償ＬＥＤ照明補助カメラ３３０の映像が提供されることを例として、無線LAN地域における停電補償ＬＥＤ照明補助カメラサービス方法の構成を説明した。
【０１０７】
本発明のスマートフォンにおいて、近距離無線通信を通して停電補償ＬＥＤ照明補助カメラサービス方法の映像を出力する方法及び装置に関して説明すると、ここで、上記近距離無線通信は、例えば、無線LAN、ジグビー（Ｚｉｇｂｅｅ）、ブルートゥース（Ｂｌｕｅｔｏｏｔｈ）、超広帯域（Ｕｌｔｒａ  Ｗｉｄｅｂａｎｄ）などがある。
【０１０８】
図１０は、本発明の実施例によるスマートフォン及び停電補償ＬＥＤ照明補助カメラのブロックの構成を説明すると、ここで上記スマートフォンは、制御部１００、近距離無線送受信部４０６、映像処理部Ａ４０３、ディスプレイ部４０７、入力部４０８を含んで構成される。
【０１０９】
上記図１０を参照すると、まず上記制御部１００は、上記スマートフォンの全般的な動作を制御し、通常の機能に加えて本発明によって補助カメラアプリケーションが実行され近距離無線送受信部４０６を通してカメラに連結されるとき、使用者によって入力された停電補償ＬＥＤ照明補助カメラ３３０の固有番号やアイディ（ＩＤ）による映像が上記停電補償ＬＥＤ照明補助カメラ３３０から提供されて出力される機能を制御及び処理する。
【０１１０】
上記近距離無線送受信部４０６は、上記制御部１００から入力された信号を符号化して近距離無線通信を通して上記停電補償ＬＥＤ照明補助カメラ３３０へ伝送し、上記近距離無線通信を通して受信した信号を処理して上記制御部１００へ伝送する役割をする。
【０１１１】
上記映像処理部Ａ４０３は、上記停電補償ＬＥＤ照明補助カメラ３３０から近距離無線通信を通して入力された映像信号をエンコーディングして上記ディスプレイ部４０７または上記制御部１００へ出力する。
【０１１２】
上記ディスプレイ部４０７は、上記スマートフォンの作動中に発生する状態情報、制限された数字と文字をディスプレイする。また、上記ディスプレイ部４０７は、本発明による上記制御部１００の制御によって上記停電補償ＬＥＤ照明補助カメラ３３０から提供された選択映像をディスプレイする。
【０１１３】
上記入力部４０８は、数字または文字情報を入力するためのキーと、機能を設定するための機能キーとを備えて上記使用者によって入力されるキーに対応する機能を上記制御部１００へ出力する。
【０１１４】
特に、上記入力部４０８は、本発明によって補助カメラアプリケーションを実行するための入力と停電補償ＬＥＤ照明補助カメラ３３０の固有番号やアイディを選択するための入力を上記制御部１００へ出力する。
【０１１５】
図１０は、本発明の実施例による停電補償ＬＥＤ照明補助カメラ３３０のブロック構成をさらに説明する。上記停電補償ＬＥＤ照明補助カメラ３３０は、制御部１００、撮影部４０２、映像処理部Ｂ４０４、近距離無線送受信部４０６を含んで構成される。
【０１１６】
上記図１０の制御部１００は、上記停電補償ＬＥＤ照明補助カメラ３３０の全般的な動作を制御し、通常の機能に加えて本発明によって上記スマートフォンから連結が要請されると、近距離無線通信を通して上記スマートフォンと連結して上記スマートフォンから選択された停電補償ＬＥＤ照明補助カメラ３３０の固有番号やアイディ（ＩＤ）が入力され、該当固有番号やアイディ（ＩＤ）によるカメラの映像を上記近距離無線通信を通して上記スマートフォンへ提供する機能を制御及び処理する。
【０１１７】
上記撮影部４０２は、映像信号を電気的信号に変換するカメラセンサーと、上記停電補償ＬＥＤ照明補助カメラ３３０から撮影された映像信号をデータに変換する信号処理部とを備え、上記映像信号をデータに変換した映像信号を上記映像処理部Ｂ４０４へ出力する。
【０１１８】
また、上記停電補償ＬＥＤ照明補助カメラ３３０は、本発明によって上記スマートフォンから選択された停電補償ＬＥＤ照明補助カメラ３３０の固有番号やアイディ（ＩＤ）による映像を撮影して上記映像処理部Ｂ４０４へ提供する。
【０１１９】
上記映像処理部Ｂ４０４は、上記撮影部４０２から入力された映像信号をエンコーディングして上記制御部１００へ出力する。
【０１２０】
上記近距離無線送受信部４０６は、上記近距離無線通信を通して受信した信号を処理して上記制御部１００へ伝送し、上記制御部１００から入力された信号を暗号化して近距離無線通信を通して上記スマートフォンへ伝送する役割をする。
【０１２１】
ここで、上記近距離無線通信としては、例えば、無線LAN、ジグビー（Ｚｉｇｂｅｅ）、ブルートゥース（Ｂｌｕｅｔｏｏｔｈ）、超広帯域（Ｕｌｔｒａ  Ｗｉｄｅｂａｎｄ）などがある。
【０１２２】
図１１は、本発明の実施例による停電補償ＬＥＤ照明補助カメラの映像を出力するスマートフォンの手順を図示した。まず説明するに当たり、停電補償ＬＥＤ照明補助カメラ３３０の名称と補助カメラ１１１２の名称は同じものとみなす。
【０１２３】
上記図１１を参照すると、まず上記スマートフォンは、５０１段階で使用者によって補助カメラアプリケーションが実行されると、５０３段階に進んで補助カメラと近距離無線通信を通した連結を要請する。
【０１２４】
ここで、上記補助カメラアプリケーションは、上記使用者がカメラの映像の提供を受けスマートフォンにディスプレイすることを容易にするためのアプリケーション（プログラム）である。
【０１２５】
その後、上記スマートフォンは、５０５段階に進んで上記補助カメラとの連結が完了しているかを検査する。
【０１２６】
上記補助カメラとの連結が完了していないと、上記スマートフォンは、５０３段階に戻って以下の段階を繰り返し行う。
【０１２７】
一方、上記補助カメラとの連結が完了していると、上記スマートフォンは、５０７段階に進んで上記使用者によって補助カメラの固有アイディを入力してもらう。
【０１２８】
ここで、補助カメラ別に固有の番号（或いはアイディ）が割り当てられていると仮定する。
【０１２９】
その後、上記スマートフォンは、５０９段階で上記入力された情報、すなわち、上記使用者が補助カメラの固有番号、アイディを上記近距離無線通信を通して上記補助カメラへ伝送する。
【０１３０】
その後、上記スマートフォンは、５１１段階で上記補助カメラから撮影された映像が受信されると、５１３段階に進んで上記スマートフォンの表示部に上記受信された映像を出力する。
【０１３１】
すなわち、上記スマートフォンは、補助カメラが選択されると映像を上記停電補助カメラから近距離無線通信を通して提供してもらい表示部へ出力するようになる。
【０１３２】
その後、上記スマートフォンは、５１５段階で上記補助カメラアプリケーションが終了しているかを検査して、上記補助カメラアプリケーションが終了していると、上記補助カメラとの近距離無線通信の連結を解除し（５１７段階）、本発明によるプロセスを終了する。
【０１３３】
まず、上記補助カメラは、６０１段階で上記スマートフォンから近距離無線通信を通した連結が要請されると、６０３段階に進んで上記スマートフォンとの連結を行う。
【０１３４】
その後、上記補助カメラは、６０５段階で上記スマートフォンと近距離無線通信を通した連結が完了しているかを検査する。
【０１３５】
スマートフォンと近距離無線通信を通した連結が完了していないと、上記補助カメラは６０３段階に戻って以下の段階を繰り返し行う。
【０１３６】
一方、上記スマートフォンと近距離無線通信を通した連結が完了していると、上記補助カメラは、６０７段階に進んで上記スマートフォンから選択された補助カメラ固有番号（或いはアイディ）を受信して、６０９段階で上記選択された補助カメラの固有番号（或いはアイディ）による映像を上記スマートフォンに上記近距離無線通信を通して伝送する。
【０１３７】
その後、上記補助カメラは６１１段階で補助カメラアプリケーションが終了しているかを検査して、終了していると６１３段階に進んで上記スマートフォンとの連結を解除し本発明によるプロセスを終了する。
【０１３８】
一方、上記補助カメラアプリケーション（プログラム）が終了していないと、上記補助カメラは６０９段階に戻り以下の段階を繰り返し行う。
【０１３９】
その後、上記補助カメラは、本発明によるプロセスを終了する。
【０１４０】
本発明を説明するにおいて、関連した公知の機能或いは構成に対する更なる説明が本発明の要旨を不明にすることがあると判断し、その詳しい説明は省略する。
【０１４１】
次は、添付の図１３ないし図１４に図示されたとおり、本発明の停電補償ＬＥＤ照明装置の風力と太陽光エネルギーを用いてバルブ（Ｂｕｌｂ）状の胴体１０へ別途の電源を供給することなく、自然エネルギーを用いて電力使用の費用と施工及びメンテナンスが容易な効果を説明する。
【０１４２】
図１３ないし図１４から分かるように、停電補償ＬＥＤ照明装置は、１次蓄電部１００７の構成要素が内部に安着している函体で形成されたもので、その一部に外部電源と連結されて交流電源が入力されるバルブ（Ｂｕｌｂ）ソケット１００１が形成された胴体１０と、胴体１０において上記バルブソケット１００１が形成された胴体１０の一側には、上下に分割してソーラーセルと風力によって回転しながら電力が発生するようブレード１００４を組み立て結合することによって照明器具の外観を形成し、バルブソケット１００１及び胴体１０側の反対側の部分にはドーム状の補助カメラ１１１２が下を向くようにし、ドーム状の補助カメラの外側面に結合して電気的に連結される媒体として作用する停電補償ＬＥＤ照明装置が構成されてなる。
【０１４３】
この際、上記停電補償ＬＥＤ照明装置の胴体１０とバルブソケット１００１が結合され、バルブソケット１００１と固定結合された支持台のブラケット１１１６は、バルブソケット１００１の外側面のねじ山とブラケット１１１６の内側面のねじ山が適切に回動して結合されやすい付属の結合材がさらに含まれてなる。
【０１４４】
これに、上記停電補償ＬＥＤ照明装置は、屋外の設置を含んだ室内外電灯器具であることが好ましい。
【０１４５】
次に、風力発電器１００５は、複数のブレード１００４の水平断面を平面とみたとき、内側面は陥没した形状からなり、外側面は揚力の発生されやすい外側に対して逆の形状からなることが好ましい。
【０１４６】
このような上記目的を達成すべく、添付の図１５に図示した風力とソーラーセルから収集された電力を保存したり、上記外部の電源の供給を受け充電と上記ＬＥＤモジュールへの電源の供給を図ることのできる構成要素を説明すると、交流電源を直流電源に変換するコンバーターＡ１１１４及びコンバーターＢ１１１５と、外部電源を用いて上記１次蓄電部１００７及び２次蓄電部１００２を充電する充電部１１１０と電気的に連結された状態で、上記１次蓄電部１００７及び２次蓄電部１００２に充電された電源にてＬＥＤモジュールの作動を制御する制御部１００と、上記制御部１００は、外部電源の電圧を感知する電圧感知モジュール１１１７と、２次電池の寿命を伸ばすことのできる低電圧制御部１１１８とで構成され、上記胴体１０の一側に内蔵して設けられた風力発電器１００５は、回転軸１００６に風力にて回動できるブレード１００４と、風力を介して発生した電気を発生させる風力発電器１００５及び外部の太陽光にて電気を発生させるソーラーセル１００３と、上記胴体１０の外側面に内部電源を入力及び出力するＵＳＢ端子１００９と、を用いて場所に限られず使用できる環境を提供することを特徴とする。
【０１４７】
ここで、上記充電部１１１０は、コンバーターの電源を減圧させて充電し、放電の際に蓄電部の電圧を昇圧させてＬＥＤモジュールへ供給する。
【０１４８】
また、低電圧制御部１１１８は、充電部１１１０／第１及び第２蓄電部１００７、１００２の温度の設定値に異常が発生した時電気スイッチにて充電を遮断制御する。
【０１４９】
また、上記コンバーターＡ１１１４とコンバーターＢ１１１５は、並列接続されることが好ましく、上記コンバーターＡ１１１４とコンバーターＢ１１１５は外部電源の供給の時に、ＡＣをＤＣに変換して上記制御部１００へ電源を供給し、上記停電補償ＬＥＤ照明装置の寿命を伸ばす目的で並列に接続して長寿命を保つようにするという効果がある。
【０１５０】
上記１次蓄電部１００７を説明すると、ハイブリッドキャパシタと電気二重層キャパシタ（ＥＤＬＣ）及びハイブリッド電池、ニッケル水素電池、ニッケルリン酸鉄電池、リチウムリン酸鉄電池、リチウムポリマーのいずれかひとつからなり、外部電源の供給と風力及び太陽光を介して収集された電力を制御部Ｃ１００と連結された充電部１１１０へ電源を供給する。
【０１５１】
上記２次蓄電部１００２は、ハイブリッド電池、ニッケル水素電池、リチウムポリマー電池のいずれかひとつからなり、上記１次蓄電部１００７と並列に接続して充電高率を互いに改善するようにする特徴がある。
【０１５２】
ここで、リチウムリン酸鉄バッテリーは、埋葬量の豊富な鉄を主原料とするため、ニッケル、コバルト、マンガンなどを使うリチウムイオンバッテリーに比べてその値段が３０％〜４０％安い。また、リチウムリン酸鉄バッテリーは、化学的に極めて安定した構造であるため過熱、過充電の状況でも爆発の恐れは全くない。
【０１５３】
一方、上記制御部１００の特徴的な要素は、コンバーター電源と風力及び太陽光電源を充電する充電部１１１０を制御することと、電圧感知モジュール１１１７を内蔵してソーラーセルのエネルギーを測定して上記ソーラーセル１００３の電圧が基準以下のときを深夜と判断してＬＥＤモジュールを蓄電部の電源にて点灯するようにするためのことと、内部低電圧制御部１１１８を構成して基準電圧以下に落ちた場合、出力スイッチ１１１９をオフさせ上記２次電池の寿命を伸ばすように構成することが好ましい。
【０１５４】
また、上記２次蓄電部１００２は、上記胴体１０に着脱が容易であるよう陥入して構成され、２次蓄電部カバー１１１３を構成させてメンテナンスが容易であるよう形成される。
【０１５５】
一方、上記充電部１１１０は、上記１次蓄電部１００７、２次蓄電部１００２へ入力される外部電源を定電圧及び定電流素子、ＩＣ及び逆電流防止ダイオードと抵抗などにて充電されるよう含むことと、上記１次蓄電部１００７及び２次蓄電部１００２の出力電圧を受けて上記定電圧及び定電流素子及びＩＣまたは電流制限用の抵抗などを通してＬＥＤモジュールへ出力されることと、蓄電部の温度の過上昇を防止する機能として温度設定値以上のとき電気スイッチで充電を遮断して制御する制御部がさらに備えられるよう構成させることが好ましく、また、蓄電池３０を複数使う場合、単価が上がることがあるため、充電部は、コンバーター電源を減圧させて充電させ、放電のときに蓄電部の電圧を昇圧させてＬＥＤモジュールへ供給するようにすべきである。
【０１５６】
また、２次蓄電部１００２の過電流及び過電圧の保護の目的として、ヒューズ（ＦＵＳＥ）、温度ヒューズ、温度センサーなどをさらに使用することは本発明の要旨から省略する。
【０１５７】
上記ＬＥＤモジュールへ供給される電力量で熱の発生を効果的に制御するための手段として、充電モジュールとＬＥＤモジュールに別途の放熱板を備えてファン（未図示）にて熱を放出することが好ましい。
【０１５８】
上記蓄電部の具現の説明に当たり、通常、汎用として使われている電気二重層キャパシタ（ＥＤＬＣ）またはハイブリッドキャパシタの特性は省略するものとし、特にハイブリッド電池の特徴的な要素は、大面積からなる高出力電気二重層キャパシタを並列ハイブリッド化することによって、大電流パルス放電は勿論のことで長寿命の特性を確保した高出力ハイブリッド電池であり、上記キャパシタの形状及び種類はこれに限定されるものではなく、エネルギーを保存する様々な電池が適用されることもできるというは当然である。
【０１５９】
上記に説明したとおり、本発明は上記説明及び図面にて示されているが、これは例として説明したものに過ぎず、本発明の思想や上記説明及び図面に限定されず、本発明の技術的思想を外れない範囲内で様々な変化及び変更が可能というのは当然である。
【図１】
2013513222.tif 000003
【図２】
2013513222.tif 000004
【図３】
2013513222.tif 000005
【図４】
2013513222.tif 000006
【図５】
2013513222.tif 000007
【図６】
2013513222.tif 000008
【図７】
2013513222.tif 000009
【図８】
2013513222.tif 000010
【図９】
2013513222.tif 000011
【図１０】
2013513222.tif 000012
【図１１】
2013513222.tif 000013
【図１２】
2013513222.tif 000014
【図１３】
2013513222.tif 000015
【図１４】
2013513222.tif 000016
【図１５】
2013513222.tif 000017
【図１６】
2013513222.tif 000018
【国際調査報告】
2013513222.tif 000019
2013513222.tif 000020
2013513222.tif 000021
2013513222.tif 000022